(57)【要約】  貨幣処理装置（１０）は、筐体（１１）の外部から内部に紙幣を取り込み、この取り込まれた紙幣を識別計数して筐体（１１）の内部に収納する紙幣入金部（２０）と、筐体（１１）の内部に収納された紙幣を筐体（１１）の外部に出す紙幣出金部（２０）と、筐体（１１）の外部から内部に硬貨を取り込み、この取り込まれた硬貨を識別計数して筐体（１１）の内部に収納する硬貨入金部（３０）と、筐体（１１）の内部に収納された硬貨を筐体（１１）の外部に出す硬貨出金部（４０、５０）と、を備えている。貨幣処理装置（１０）に設けられた制御部（６０）は、紙幣入金部（２０）および／または硬貨入金部（３０）により筐体（１１）の内部に紙幣および／または硬貨を取り込ませ、その後、筐体（１１）の内部に取り込まれた貨幣について、入金処理および両替処理の両方の処理を行うよう、各構成要素（２０、３０、４０、５０）の制御を行う。
2010010615.tif 000002
【特許請求の範囲】
【請求項１】
紙幣および硬貨からなる貨幣を処理する貨幣処理装置であって、
筐体と、
前記筐体の外部から内部に紙幣を取り込み、この取り込まれた紙幣を識別計数して前記筐体の内部に収納する紙幣入金部と、
前記筐体の内部に収納された紙幣を前記筐体の外部に出す紙幣出金部と、
前記筐体の外部から内部に硬貨を取り込み、この取り込まれた硬貨を識別計数して前記筐体の内部に収納する硬貨入金部と、
前記筐体の内部に収納された硬貨を前記筐体の外部に出す硬貨出金部と、
前記紙幣入金部および／または前記硬貨入金部により前記筐体の内部に紙幣および／または硬貨を取り込ませ、その後、前記筐体の内部に取り込まれた貨幣について、入金処理および両替処理の両方の処理を行うよう、前記紙幣入金部、前記紙幣出金部、前記硬貨入金部、および前記硬貨出金部の制御を行う制御部と、
を備えたことを特徴とする貨幣処理装置。
【請求項２】
前記紙幣入金部および前記紙幣出金部は一体型のものとなっており、前記筐体の外部から内部に紙幣を取り込み、この取り込まれた紙幣を識別して前記筐体の内部に収納するとともに、この収納された紙幣を前記筐体の外部に出すことができるようになっていることを特徴とする請求項１記載の貨幣処理装置。
【請求項３】
入金額または両替額を選択的に入力するための操作部を更に備え、
前記制御部は、前記紙幣入金部および／または前記硬貨入金部により前記筐体の内部に紙幣および／または硬貨が取り込まれるとともに前記操作部において入金額が入力された場合には、この入力された入金額に係る貨幣の入金処理を行うとともに前記筐体の内部に収納された貨幣の金額から前記入金額を引き算した金額の貨幣を前記紙幣出金部および／または前記硬貨出金部により前記筐体の外部に出し、一方、前記紙幣入金部および／または前記硬貨入金部により前記筐体の内部に紙幣および／または硬貨が取り込まれるとともに前記操作部において両替額が入力された場合には、前記筐体の内部に収納された貨幣の金額から前記両替額を引き算した金額の貨幣の入金処理を行うとともに前記両替額の貨幣を前記紙幣出金部および／または前記硬貨出金部により前記筐体の外部に出すような制御を行うことを特徴とする請求項１記載の貨幣処理装置。
【請求項４】
前記両替処理において、前記操作部により１または複数の両替金種および各両替金種における貨幣の数量または金額を入力するようになっており、前記制御部は、前記操作部に入力された両替金種の紙幣および／または硬貨を入力された数量分または金額分だけ前記紙幣出金部および／または前記硬貨出金部により前記筐体の外部に出すような制御を行うことを特徴とする請求項３記載の貨幣処理装置。
【請求項５】
前記操作部により入力された入金額および／または両替額を表示する表示部を更に備えたことを特徴とする請求項３記載の貨幣処理装置。
【請求項６】
前記表示部は、前記筐体の内部に収納された貨幣の金額から、前記操作部により入力された入金額または両替額を引き算した金額を両替額または入金額として表示することを特徴とする請求項５記載の貨幣処理装置。
【請求項７】
操作者の情報を特定するための操作者特定手段と、
貨幣の入金処理または両替処理に係る情報が操作者毎に記憶された記憶部と、
を更に備えたことを特徴とする請求項１記載の貨幣処理装置。
【請求項８】
前記記憶部は、入金処理または両替処理のどちらを先に行わせるかという情報が操作者毎に記憶されており、
前記制御部は、前記操作者特定手段により操作者の情報が特定された場合には、前記記憶部に記憶された情報に基づいて、前記筐体の内部に取り込まれた貨幣について、入金処理または両替処理のうちいずれか一方を先に行わせ、前記筐体の内部に取り込まれた貨幣の金額から入金処理または両替処理が行われた貨幣の金額を引き算した金額の貨幣について、もう一方の処理を行わせるような制御を行うことを特徴とする請求項７記載の貨幣処理装置。
【請求項９】
前記記憶部は、入金処理における１または複数の入金額に係る情報が操作者毎に記憶されており、
前記制御部は、前記操作者特定手段により操作者の情報が特定された場合には、入金処理を行う際に、前記筐体の内部に取り込まれた貨幣について、前記記憶部に記憶された１または複数の入金額のうち選択された一の入金額の入金処理を行うような制御を行うことを特徴とする請求項７記載の貨幣処理装置。
【請求項１０】
前記記憶部は、両替処理における１または複数の両替金種および各両替金種における貨幣の数量からなる両替パターンに係る情報が操作者毎に１または複数記憶されており、
前記制御部は、前記操作者特定手段により操作者の情報が特定された場合には、両替処理を行う際に、前記筐体の内部に取り込まれた貨幣について、前記記憶部に記憶された１または複数の両替パターンのうち選択された一の両替パターンにおける両替金種の紙幣および／または硬貨を前記記憶部に記憶された数量分だけ前記筐体の外部に出すような制御を行うことを特徴とする請求項７記載の貨幣処理装置。
【請求項１１】
前記操作者特定手段により操作者の情報が特定された場合に、前記記憶部に、実際に行われた入金処理における入金額、および両替処理における両替額、両替金種、当該両替金種における貨幣の数量のうち、少なくとも１つのものが操作者毎に処理履歴として記憶されるようになっていることを特徴とする請求項７記載の貨幣処理装置。
【請求項１２】
前記操作者特定手段はカードリーダからなり、このカードリーダは操作者が携帯するＩＤカードの読み取りを行うようになっていることを特徴とする請求項７記載の貨幣処理装置。
【請求項１３】
前記記憶部は操作者が携帯するＩＤカードに設けられていることを特徴とする請求項１２記載の貨幣処理装置。
【発明の詳細な説明】
【技術分野】
【０００１】
本発明は、紙幣および硬貨からなる貨幣を処理する貨幣処理装置に関し、とりわけ１つの装置で貨幣の入金処理および両替処理の両方を行うことができ、しかも、筐体の内部に貨幣を取り込ませる作業を１回行うだけで入金処理および両替処理の両方の処理を行わせることができるとともに処理時間の短縮を図ることができる貨幣処理装置に関する。
【背景技術】
【０００２】
銀行の本店や支店等の金融営業店のロビー等には、入金機や両替機が設置されている。入金機としては、例えば特開２００２−２０３２６４号公報等に開示されるものが知られており、紙幣や硬貨等の貨幣を入金する機能を有している。一方、両替機としては、例えば特開２００１−１３４８０１号公報等に開示されるものが知られており、紙幣、包装硬貨、バラ硬貨等の異なる形態の貨幣間で他の形態への両替を行う機能を有している。なお、これらの入金機および両替機は互いに独立して別個に設けられており、通信接続されていない場合が多い。
【発明の開示】
【０００３】
小売店の売上金等の、大量の紙幣および硬貨からなる貨幣を持って金融営業店に入った顧客は、まず特開２００２−２０３２６４号公報に示されるような入金機の投入口へ貨幣の投入を行い、計数スタートの指示を行う。入金機における貨幣の計数が終了した後、小売店における釣銭の準備等のための両替が必要な場合は、顧客は特開２００１−１３４８０１号公報に示されるような両替機で両替を行うこととなる。このように、従来の金融営業店等では、入金機と両替機が互いに独立して別個に設けられているので、顧客にとって貨幣の入金処理および両替処理の両方を行う必要がある場合には、入金機および両替機の各々で貨幣の処理を行わなければならず処理時間が長くなってしまうという問題がある。
【０００４】
本発明は、このような点を考慮してなされたものであり、１つの装置で貨幣の入金処理および両替処理の両方を行うことができ、しかも、筐体の内部に貨幣を取り込ませた後、この筐体の内部に取り込まれた貨幣について、入金処理および両替処理の両方の処理を行うことにより、筐体の内部に貨幣を取り込ませる作業を１回行うだけで入金処理および両替処理の両方の処理を行わせることができるとともに処理時間の短縮を図ることができる貨幣処理装置を提供することを目的とする。
【０００５】
本発明の貨幣処理装置は、紙幣および硬貨からなる貨幣を処理する貨幣処理装置であって、筐体と、前記筐体の外部から内部に紙幣を取り込み、この取り込まれた紙幣を識別計数して前記筐体の内部に収納する紙幣入金部と、前記筐体の内部に収納された紙幣を前記筐体の外部に出す紙幣出金部と、前記筐体の外部から内部に硬貨を取り込み、この取り込まれた硬貨を識別計数して前記筐体の内部に収納する硬貨入金部と、前記筐体の内部に収納された硬貨を前記筐体の外部に出す硬貨出金部と、前記紙幣入金部および／または前記硬貨入金部により前記筐体の内部に紙幣および／または硬貨を取り込ませ、その後、前記筐体の内部に取り込まれた貨幣について、入金処理および両替処理の両方の処理を行うよう、前記紙幣入金部、前記紙幣出金部、前記硬貨入金部、および前記硬貨出金部の制御を行う制御部と、を備えたことを特徴とする。
【０００６】
このような貨幣処理装置によれば、筐体の内部に紙幣や硬貨からなる貨幣を取り込ませた後、この筐体の内部に取り込まれた貨幣について、入金処理および両替処理の両方の処理を行うことにより、筐体の内部に貨幣を取り込ませる作業を１回行うだけで入金処理および両替処理の両方の処理を行わせることができるとともに処理時間の短縮を図ることができるようになる。
【０００７】
ここで、前記制御部における貨幣の入金処理は、前記紙幣入金部および／または前記硬貨入金部により紙幣および／または硬貨を前記筐体の外部から内部に取り込ませ、この取り込まれた紙幣および／または硬貨を前記筐体の内部に収納する処理のことであり、前記制御部における貨幣の両替処理は、前記紙幣入金部および／または前記硬貨入金部により前記筐体の外部から内部に取り込まれた紙幣および／または硬貨と金種が異なる紙幣および／または硬貨を前記紙幣出金部および／または前記硬貨出金部により前記筐体の外部に出す処理のことである。
【０００８】
本発明の貨幣処理装置においては、前記紙幣入金部および前記紙幣出金部は一体型のものとなっており、前記筐体の外部から内部に紙幣を取り込み、この取り込まれた紙幣を識別して前記筐体の内部に収納するとともに、この収納された紙幣を前記筐体の外部に出すことができるようになっていることが好ましい。この場合、紙幣入金部および紙幣出金部を一体型のものとすることにより、紙幣をリサイクル処理することができ、紙幣の入金および出金を効率良く行うことができるようになる。
【０００９】
また、本発明の貨幣処理装置においては、入金額または両替額を選択的に入力するための操作部を更に備え、前記制御部は、前記紙幣入金部および／または前記硬貨入金部により前記筐体の内部に紙幣および／または硬貨が取り込まれるとともに前記操作部において入金額が入力された場合には、この入力された入金額に係る貨幣の入金処理を行うとともに前記筐体の内部に収納された貨幣の金額から前記入金額を引き算した金額の貨幣を前記紙幣出金部および／または前記硬貨出金部により前記筐体の外部に出し、一方、前記紙幣入金部および／または前記硬貨入金部により前記筐体の内部に紙幣および／または硬貨が取り込まれるとともに前記操作部において両替額が入力された場合には、前記筐体の内部に収納された貨幣の金額から前記両替額を引き算した金額の貨幣の入金処理を行うとともに前記両替額の貨幣を前記紙幣出金部および／または前記硬貨出金部により前記筐体の外部に出すような制御を行うことが好ましい。このことにより、顧客等の操作者は、操作部により入金額または両替額を入力するだけで、入金処理または両替処理のうちいずれか一方を先に行わせ、その後、もう一方の処理を行わせることができるようになる。
【００１０】
この場合、前記両替処理において、前記操作部により１または複数の両替金種および各両替金種における貨幣の数量または金額を入力するようになっており、前記制御部は、前記操作部に入力された両替金種の紙幣および／または硬貨を入力された数量分または金額分だけ前記紙幣出金部および／または前記硬貨出金部により前記筐体の外部に出すような制御を行うことがより好ましい。このことにより、両替金種および当該両替金種における貨幣の数量や金額を操作者は容易に選択することができる。
【００１１】
また、前記操作部により入力された入金額および／または両替額を表示する表示部を更に備えたことが好ましい。この場合、前記表示部は、前記筐体の内部に収納された貨幣の金額から、前記操作部により入力された入金額または両替額を引き算した金額を両替額または入金額として表示することがより好ましい。
【００１２】
本発明の貨幣処理装置においては、操作者の情報を特定するための操作者特定手段と、貨幣の入金処理または両替処理に係る情報が操作者毎に記憶された記憶部と、を更に備えたことが好ましい。
【００１３】
この場合、前記記憶部は、入金処理または両替処理のどちらを先に行わせるかという情報が操作者毎に記憶されており、前記制御部は、前記操作者特定手段により操作者の情報が特定された場合には、前記記憶部に記憶された情報に基づいて、前記筐体の内部に取り込まれた貨幣について、入金処理または両替処理のうちいずれか一方を先に行わせ、前記筐体の内部に取り込まれた貨幣の金額から入金処理または両替処理が行われた貨幣の金額を引き算した金額の貨幣について、もう一方の処理を行わせるような制御を行うことが好ましい。
【００１４】
また、前記記憶部は、入金処理における１または複数の入金額に係る情報が操作者毎に記憶されており、前記制御部は、前記操作者特定手段により操作者の情報が特定された場合には、入金処理を行う際に、前記筐体の内部に取り込まれた貨幣について、前記記憶部に記憶された１または複数の入金額のうち選択された一の入金額の入金処理を行うような制御を行うようになっていてもよい。
【００１５】
また、前記記憶部は、両替処理における１または複数の両替金種および各両替金種における貨幣の数量からなる両替パターンに係る情報が操作者毎に１または複数記憶されており、前記制御部は、前記操作者特定手段により操作者の情報が特定された場合には、両替処理を行う際に、前記筐体の内部に取り込まれた貨幣について、前記記憶部に記憶された１または複数の両替パターンのうち選択された一の両替パターンにおける両替金種の紙幣および／または硬貨を前記記憶部に記憶された数量分だけ前記筐体の外部に出すような制御を行うようになっていてもよい。
【００１６】
また、前記操作者特定手段により操作者の情報が特定された場合に、前記記憶部に、実際に行われた入金処理における入金額、および両替処理における両替額、両替金種、当該両替金種における貨幣の数量のうち、少なくとも１つのものが操作者毎に処理履歴として記憶されるようになっているようになっていてもよい。
【００１７】
上述のような場合、前記操作者特定手段はカードリーダからなり、このカードリーダは操作者が携帯するＩＤカードの読み取りを行うようになっていることが好ましい。このときに、前記記憶部は操作者が携帯するＩＤカードに設けられていてもよい。
【図面の簡単な説明】
【００１８】
【図１】本発明の一の実施の形態に係る貨幣処理装置の全体構成を示す概略構成図である。
【図２】図１に示す貨幣処理装置におけるバラ紙幣入出金部の構成を示す概略構成図である。
【図３】図１に示す貨幣処理装置におけるバラ硬貨入金部の構成を示す概略構成図である。
【図４】図１に示す貨幣処理装置におけるバラ硬貨出金部の構成を示す概略構成図である。
【図５】図１に示す貨幣処理装置における包装硬貨出金部の構成を示す概略構成図である。
【図６】図１に示す貨幣処理装置における貨幣の入金処理および両替処理の内容を示すフローチャートである。
【発明を実施するための最良の形態】
【００１９】
以下、図面を参照して本発明の一の実施の形態について説明する。図１乃至図６は、本実施の形態に係る貨幣処理装置を示す図である。このうち、図１は、本実施の形態に係る貨幣処理装置の全体構成を示す概略構成図であり、図２は、図１に示す貨幣処理装置におけるバラ紙幣入出金部の構成を示す概略構成図であり、図３は、図１に示す貨幣処理装置におけるバラ硬貨入金部の構成を示す概略構成図である。また、図４は、図１に示す貨幣処理装置におけるバラ硬貨出金部の構成を示す概略構成図であり、図５は、図１に示す貨幣処理装置における包装硬貨出金部の構成を示す概略構成図である。また、図６は、図１に示す貨幣処理装置における貨幣の入金処理および両替処理の内容を示すフローチャートである。【００２０】
まず、図１により、本実施の形態に係る貨幣処理装置の全体構成について説明する。図１に示すように、貨幣処理装置１０は略直方体形状の筐体１１を備えており、この筐体１１の内部には、バラ紙幣入出金部２０、バラ硬貨入金部３０、バラ硬貨出金部４０、包装硬貨出金部５０および制御部６０がそれぞれ設置されている。ここで、図１に示すように、バラ紙幣入出金部２０、バラ硬貨入金部３０、バラ硬貨出金部４０および包装硬貨出金部５０はそれぞれ制御部６０に通信接続されており、この制御部６０はバラ紙幣入出金部２０、バラ硬貨入金部３０、バラ硬貨出金部４０および包装硬貨出金部５０の制御をそれぞれ行うようになっている。【００２１】
また、図１に示すように、貨幣処理装置１０には、顧客等の操作者が貨幣処理装置１０の制御部６０に対して様々な指令を行うための操作部６２、および貨幣処理装置１０における貨幣の処理内容や処理結果等を表示する表示部６４がそれぞれ設けられている。さらに、貨幣処理装置１０には、操作者が携帯するＩＤカードの読み取りを行うカードリーダ６６が設けられている。これらの操作部６２や表示部６４、カードリーダ６６も制御部６０に通信接続されている。また、これらの操作部６２や表示部６４、カードリーダ６６は、貨幣処理装置１０の筐体１１の上面に設けられている場合が多い。また、貨幣処理装置１０には、貨幣の入金処理や両替処理に関する様々な情報が操作者毎に記憶された記憶部６８が設けられている。この記憶部６８も制御部６０に通信接続されている。【００２２】
次に、バラ紙幣入出金部２０の構成の詳細について図２を用いて説明する。バラ紙幣入出金部２０は、筐体１１の外部から内部にバラ紙幣を取り込み、この取り込まれたバラ紙幣を識別計数して筐体１１の内部に設けられた複数（例えば４つ）の収納カセット２６ａ〜２６ｄ（後述）に収納するとともに、各収納カセット２６ａ〜２６ｄに収納されたバラ紙幣を筐体１１の外部に出す機能を有している。【００２３】
より具体的には、バラ紙幣入出金部２０は、バラ紙幣投入口２１と、出金リジェクト口２４と、入金リジェクト口２７と、筐体１１の内部でバラ紙幣の搬送を行う搬送部２２とを備えている。バラ紙幣投入口２１は通常はシャッター（図示せず）により閉められており、操作者が操作部６２により制御部６０に対してシャッター開動作を指令したときに、シャッターが開いてバラ紙幣投入口２１に複数のバラ紙幣を一括して投入することができるようになっている。また、バラ紙幣投入口２１には一対の繰出ローラ２１ａが設けられており、この一対の繰出ローラ２１ａによりバラ紙幣投入口２１に投入されたバラ紙幣は１枚ずつ搬送部２２に繰り出されるようになっている。【００２４】
搬送部２２には、当該搬送部２２で搬送されるバラ紙幣の金種、真偽、正損等の識別および計数を行う識別部２３が介設されている。また、バラ紙幣入出金部２０には、バラ紙幣を一時的に保留する入金一時保留カセット２５と、バラ紙幣を積層状態で収納する複数（例えば４つ）の収納カセット２６ａ、２６ｂ、２６ｃ、２６ｄとがそれぞれ設けられており、これらの入金一時保留カセット２５および各収納カセット２６ａ、２６ｂ、２６ｃ、２６ｄはそれぞれ搬送部２２に接続されている。入金一時保留カセット２５は、バラ紙幣投入口２１から搬送部２２に繰り出されたバラ紙幣を、収納カセット２６ａ、２６ｂ、２６ｃ、２６ｄに送る前に一時的に保留する機能を有している。収納カセット２６ａ、２６ｂ、２６ｃは、それぞれ特定の金種の紙幣を収納するようになっており、収納カセット２６ｄはあらゆる金種の紙幣を一括して収納するようになっている。ここで、入金一時保留カセット２５や各収納カセット２６ａ、２６ｂ、２６ｃ、２６ｄには、それぞれ一対の繰出ローラ２５ｅ、２６ｅが設けられており、この一対の繰出ローラ２５ｅ、２６ｅによりこれらのカセットに収納されたバラ紙幣を搬送部２２に繰り出すことができるようになっている。また、図２に示すように、搬送部２２に設けられた搬送路は様々な箇所で分岐するようになっており、この搬送路が分岐する箇所には例えば分岐爪からなる分岐部材２８がそれぞれ設けられている。【００２５】
また、搬送部２２から出金リジェクト口２４や入金リジェクト口２７にバラ紙幣が１枚ずつ送られるようになっている。ここで、入金リジェクト口２７は、バラ紙幣投入口２１から搬送部２２に繰り出されたバラ紙幣のうち、識別部２３によりリジェクト紙幣であると識別されたバラ紙幣等が送られるようになっている。入金リジェクト口２７に送られたバラ紙幣は操作者により取り出されるようになっている。また、出金リジェクト口２４は、入金一時保留カセット２５や各収納カセット２６ａ、２６ｂ、２６ｃ、２６ｄから搬送部２２に繰り出されたバラ紙幣のうち、識別部２３によりリジェクト紙幣であると識別されたバラ紙幣等が送られるようになっている。出金リジェクト口２４はバラ紙幣入出金部２０の筐体の内部に設けられており、操作者は筐体の扉を開けないと出金リジェクト口２４にある紙幣を取り出すことができないようになっている。【００２６】
次に、バラ硬貨入金部３０の構成の詳細について図３を用いて説明する。バラ硬貨入金部３０は、筐体１１の外部から内部にバラ硬貨を取り込み、この取り込まれたバラ硬貨を識別計数して筐体１１の内部に設けられた複数（例えば３つ）の収納カセット３５ａ〜３５ｃ（後述）に収納する機能を有している。【００２７】
より具体的には、バラ硬貨入金部３０は、バラ硬貨投入口３１と、バラ硬貨投入口３１に投入されたバラ硬貨が送られる回転盤３２ａおよび繰出ホッパ３２ｂと、回転盤３２ａからバラ硬貨を掻き出す掻出機構３３ａとを備えている。バラ硬貨投入口３１は通常はシャッター（図示せず）により閉められており、操作者が操作部６２により制御部６０に対してシャッター開動作を指令したときに、シャッターが開いてバラ硬貨投入口３１に複数のバラ硬貨を一括して投入することができるようになっている。【００２８】
バラ硬貨投入口３１から回転盤３２ａに送られたバラ硬貨は当該回転盤３２ａに設けられた突起部３２ｃに引っ掛かることによりすくい上げられ、この回転盤３２ａの回転動作に沿って回転し、掻出機構３３ａにより回転盤３２ａの突起部３２ｃに引っ掛かった状態から掻き出されるようになっている。また、バラ硬貨入金部３０には、掻出機構３３ａにより回転盤３２ａから掻き出されたバラ硬貨の識別および計数を行う識別部３３ｂ、識別部３３ｂにより識別されたバラ硬貨のうちリジェクト硬貨の選別を行うリジェクト選別部３３ｃ、リジェクト選別部３３ｃの下流側に配置され１または複数の特定の金種の硬貨の選別をそれぞれ行う複数（例えば３つ）の選別部３３ｄ、３３ｅ、３３ｆがそれぞれ設けられている。【００２９】
また、バラ硬貨入金部３０には返却口３６が設けられており、繰出ホッパ３２ｂにバラ硬貨以外の異物が収容された場合には、この異物が繰出ホッパ３２ｂから返却口３６に送られるようになっている。返却口３６に送られた異物は操作者により取り出されるようになっている。また、識別部３３ｂによりリジェクト硬貨であると識別されたバラ硬貨もリジェクト選別部３３ｃから返却口３６に送られるようになっている。このため、返却口３６に送られたリジェクト硬貨も操作者により取り出されるようになっている。【００３０】
また、バラ硬貨入金部３０には、バラ硬貨の各金種に対応する複数（例えば３つ）の一時保留部３４ａ、３４ｂ、３４ｃがそれぞれ設けられている。ここで、一時保留部３４ｃは選別部３３ｄに対応しており、この選別部３３ｄにより選別された１または複数の特定の金種のバラ硬貨が送られるようになっている。また、一時保留部３４ｂは選別部３３ｅに対応しており、この選別部３３ｅにより選別された１または複数の特定の金種のバラ硬貨が送られるようになっている。また、一時保留部３４ａは選別部３３ｆに対応しており、この選別部３３ｆにより選別された１または複数の特定の金種のバラ硬貨が送られるようになっている。【００３１】
さらに、バラ硬貨入金部３０には、バラ硬貨の各金種に対応する複数（例えば３つ）の収納カセット３５ａ、３５ｂ、３５ｃがそれぞれ設けられている。ここで、収納カセット３５ａ、３５ｂ、３５ｃはそれぞれ一時保留部３４ａ、３４ｂ、３４ｃに対応しており、一時保留部３４ａ、３４ｂ、３４ｃに一時的に保留されたバラ硬貨がそれぞれ対応する収納カセット３５ａ、３５ｂ、３５ｃに送られて当該収納カセット３５ａ、３５ｂ、３５ｃに収納されるようになっている。【００３２】
なお、一時保留部３４ａ〜３４ｃおよび収納カセット３５ａ〜３５ｃは、それぞれ１または複数の特定の金種に対応するよう設置されることに限定されることはなく、一時保留部３４ａ〜３４ｃおよび収納カセット３５ａ〜３５ｃがそれぞれ全ての金種のバラ硬貨を混合して収納するようになっていてもよい。この場合には、掻出機構３３ａにより回転盤３２ａから掻き出されたバラ硬貨は金種に関係なく全て一時保留部３４ａに送られ、その後収納カセット３５ａに収納される。そして、収納カセット３５ａが満杯になったらバラ硬貨は金種に関係なく全て収納カセット３５ｂに収納され、収納カセット３５ｂが満杯になったら次に収納カセット３５ｃに収納されることとなる。このように、バラ硬貨入金部３０において、筐体１１の外部から内部に取り込まれたバラ硬貨を金種に関係なく一括して収納カセット３５ａ〜３５ｃに混合状態で収納した場合には、筐体１１の外部から内部に取り込まれたバラ硬貨を金種毎に分ける必要がなくなるので、より迅速にバラ硬貨の入金処理を行うことができるようになる。また、金種別にバラ硬貨の収納部分を設けていた場合には、特定の金種のバラ硬貨が他の金種のバラ硬貨よりも多く筐体１１の内部に取り込まれると、この特定の金種のバラ硬貨を当該金種に対応する収納部分から頻繁に回収しなければならなくなるので、作業効率が悪くなるという問題がある。しかしながら、全ての金種のバラ硬貨を混合して収納カセット３５ａ〜３５ｃに収納するようにすれば、バラ硬貨の回収動作をより効率的に行うことができるようになる。【００３３】
また、バラ硬貨入金部３０には返却箱３８が設けられている。ここで、一時保留部３４ａ、３４ｂ、３４ｃに一時的に保留されたバラ硬貨は必ずしもそれぞれ対応する収納カセット３５ａ、３５ｂ、３５ｃに送られるわけではなく、一時保留部３４ａ、３４ｂ、３４ｃに一時的に保留されたバラ硬貨が返却箱３８に送られる場合もある。この場合、返却箱３８に送られたバラ硬貨は操作者により取り出されるようになっている。【００３４】
次に、バラ硬貨出金部４０の構成の詳細について図４を用いて説明する。バラ硬貨出金部４０は、筐体１１の内部に設けられた硬貨ホッパ部４１ａ、４１ｂ、４１ｃ、４１ｄに金種毎に収納されたバラ硬貨を筐体１１の外部に出す機能を有している。各硬貨ホッパ部４１ａ、４１ｂ、４１ｃ、４１ｄには、操作者が必要に応じて任意の金種のバラ硬貨を手動で装填することができるようになっている。【００３５】
より具体的には、バラ硬貨出金部４０は、バラ硬貨の金種毎に設けられた複数（例えば４つ）の硬貨ホッパ部４１ａ、４１ｂ、４１ｃ、４１ｄと、これらの硬貨ホッパ部４１ａ、４１ｂ、４１ｃ、４１ｄから下方に出されたバラ硬貨を搬送する例えば横方向コンベアからなる搬送部４２と、搬送部４２で搬送されたバラ硬貨の出金判別を行う出金判別部４３と、硬貨の出金を行うバラ硬貨出金口４４と、リジェクト硬貨等の収納を行うリジェクトボックス４５とを備えている。【００３６】
各硬貨ホッパ部４１ａ、４１ｂ、４１ｃ、４１ｄには計数センサ（図示せず）がそれぞれ設けられており、各計数センサにより、各硬貨ホッパ部４１ａ、４１ｂ、４１ｃ、４１ｄから搬送部４２に送られるバラ硬貨の計数が行われるようになっている。各硬貨ホッパ部４１ａ、４１ｂ、４１ｃ、４１ｄから搬送部４２に送られたバラ硬貨は当該搬送部４２で搬送され、出金判別部４３に送られるようになっている。出金判別部４３により正常なバラ硬貨であると判別されたバラ硬貨はバラ硬貨出金口４４に送られる。バラ硬貨出金口４４は通常はシャッター（図示せず）により閉められており、操作者が操作部６２により制御部６０に対してシャッター開動作を指令したときに、シャッターが開いてバラ硬貨出金口４４に収容されたバラ硬貨を一括して取り出すことができるようになっている。一方、出金判別部４３によりリジェクト硬貨であると判別されたバラ硬貨はリジェクトボックス４５に収納される。このリジェクトボックス４５は、例えば一日における貨幣の処理が全て終了した後に、管理者により筐体１１から取り出されて当該リジェクトボックス４５に収納されたリジェクト硬貨が回収されるようになっている。なお、リジェクトボックス４５の代わりに、リジェクト硬貨以外の硬貨の回収も行う回収ボックスを設けてもよい。【００３７】
次に、包装硬貨出金部５０の構成の詳細について図５を用いて説明する。包装硬貨出金部５０は、筐体１１の内部に設けられた複数（例えば７つ）の収納カセット５１ａ〜５１ｇに金種毎に収納された包装硬貨を筐体１１の外部に出す機能を有している。【００３８】
より具体的には、包装硬貨出金部５０は、複数の包装硬貨をそれぞれ金種毎に収納する複数（例えば７つ）の収納カセット５１ａ〜５１ｇと、各収納カセット５１ａ〜５１ｇから包装硬貨が１つずつ送られる包装硬貨投出部５３とを備えている。各収納カセット５１ａ〜５１ｇには、操作者が必要に応じて任意の金種の棒金硬貨を手動で装填することができるようになっている。各収納カセット５１ａ〜５１ｇは、包装硬貨の長手方向が図５の紙面に対して垂直方向に延びるよう、複数の包装硬貨を収納するようになっている。すなわち、図５において各収納カセット５１ａ〜５１ｇ内にある丸印はそれぞれ包装硬貨の断面を示しており、包装硬貨は図５の紙面に対して垂直方向に延びている。また、図５に示すように、各収納カセット５１ａ〜５１ｇはそれぞれ包装硬貨投出部５３に向かってわずかに下方に傾斜しており、これらの収納カセット５１ａ〜５１ｇに収納された包装硬貨は自重により包装硬貨投出部５３に向かって移動するようになっている。【００３９】
包装硬貨投出部５３は、各収納カセット５１ａ〜５１ｇから包装硬貨が１つずつ送られるようになっている。図５に示すように、包装硬貨投出部５３は昇降移動するようになっており、各収納カセット５１ａ〜５１ｇの右端部の各高さレベルにそれぞれ移動して各収納カセット５１ａ〜５１ｇから包装硬貨を受け取るようになっている。【００４０】
また、収納カセット５１ａ〜５１ｇには、図５における当該収納カセット５１ａ〜５１ｇの左右方向に沿って移動する精査センサ部５２が設けられている。この精査センサ部５２は、各収納カセット５１ａ〜５１ｇに収納された棒金硬貨の金種等の識別や、各収納カセット５１ａ〜５１ｇにおける棒金硬貨の収納本数の検出等を行うようになっている。【００４１】
また、図５に示すように、包装硬貨投出部５３の上方にはシャッター５４が設けられている。このシャッター５４は通常は閉められており、操作者が操作部６２により制御部６０に対してシャッター開動作を指令したときに、包装硬貨投出部５３が最も高レベルの位置に移動するとともにシャッター５４が開き、包装硬貨投出部５３に収容された包装硬貨を操作者が取り出すことができるようになっている。【００４２】
制御部６０は、操作者が操作部６２によりこの制御部６０に対してなされた様々な指令に基づいて、バラ紙幣入出金部２０、バラ硬貨入金部３０、バラ硬貨出金部４０および包装硬貨出金部５０の制御をそれぞれ行うようになっている。制御部６０による各構成要素に対する制御内容については後述する。また、制御部６０は、表示部６４における表示内容、具体的には貨幣の処理内容や処理結果等の表示内容を制御するようになっている。【００４３】
操作部６２では、入金額または両替額を操作者が選択的に入力することができるようになっている。また、表示部６４では、操作部６２により入力された入金額または両替額を表示するようになっている。ここで、表示部６４では、筐体１１の内部に取り込まれた貨幣の金額から、操作部６２により入力された入金額または両替額を引き算した金額を両替額または入金額として更に表示することができるようになっていてもよい。このような表示部６４における表示内容の詳細については後述する。【００４４】
カードリーダ６６は、操作者が携帯するＩＤカードの読み取りを行い、操作をこれから行う操作者の特定（誰がこれから操作を行うか）を行うようになっている。カードリーダ６６により得られる操作者の特定情報は制御部６０に送られるようになっている。【００４５】
前述のように、制御部６０に接続された記憶部６８には、貨幣の入金処理や両替処理に関する様々な情報が操作者毎に記憶されている。具体的には、記憶部６８には、入金処理または両替処理のどちらを先に行わせるかという情報が操作者毎に記憶されている。また、記憶部６８には、入金処理における１または複数の入金額に係る情報が操作者毎に記憶されていたり、１または複数の両替パターンに係る情報が操作者毎に記憶されていたりする場合もある。ここで、両替パターンとは、両替処理における１または複数の両替金種および各両替金種における貨幣の数量のことをいう。また、記憶部６８には、操作者毎の過去の１または複数の取引の履歴が記憶されていてもよい。【００４６】
次に、このような構成からなる貨幣処理装置１０の動作について説明する。この貨幣処理装置１０では、筐体１１の内部にバラ紙幣および／またはバラ硬貨を取り込ませ、その後、筐体１１の内部に取り込まれた貨幣について、入金処理および両替処理の両方の処理を行わせるようになっている。ここで、貨幣の入金処理とは、バラ紙幣入出金部２０および／またはバラ硬貨入金部３０により筐体１１の内部に取り込まれたバラ紙幣および／またはバラ硬貨を筐体１１の内部に収納する処理のことをいう。また、貨幣の両替処理とは、バラ紙幣入出金部２０および／またはバラ硬貨入金部３０により筐体１１の内部に取り込まれたバラ紙幣および／またはバラ硬貨と金種が異なるバラ紙幣、バラ硬貨および／または包装硬貨をバラ紙幣入出金部２０、バラ硬貨出金部４０および／または包装硬貨出金部５０により筐体１１の外部に出す（出金する）処理のことをいう。【００４７】
以下、貨幣処理装置１０の動作について図６のフローチャートを用いて詳述する。【００４８】
まず、顧客等の操作者は自分が携帯しているＩＤカードをカードリーダ６６により読み取らせる（図６のＳｔｅｐ１参照）。カードリーダ６６により読み取られた情報は制御部６０に送られ、制御部６０において操作をこれから行う操作者の特定（誰がこれから操作を行うか）が行われる。【００４９】
次に、操作者が操作部６２により制御部６０に対してシャッター開動作を指令することにより、バラ紙幣入出金部２０におけるバラ紙幣投入口２１のシャッター（図示せず）およびバラ硬貨入金部３０におけるバラ硬貨投入口３１のシャッター（図示せず）が開く。なお、カードリーダ６６により操作者が携帯するＩＤカードの読み取りが行われたときに、これらのシャッターが自動的に開くようになっていてもよい。そして、操作者がバラ紙幣をバラ紙幣投入口２１に一括して投入するとともにバラ硬貨をバラ硬貨投入口３１に一括して投入する（図６のＳｔｅｐ２参照）。なお、入金処理においてバラ紙幣およびバラ硬貨のうち一方のもののみを対応する投入口に投入するようにしてもよい。【００５０】
バラ紙幣投入口２１に投入されたバラ紙幣は、搬送部２２、識別部２３および入金一時保留カセット２５を経て、最終的に各収納カセット２６ａ〜２６ｄに金種別に収納される。なお、バラ紙幣投入口２１に投入されたバラ紙幣のうちリジェクト紙幣は入金リジェクト口２７に送られる。【００５１】
一方、バラ硬貨投入口３１に投入されたバラ硬貨は、回転盤３２ａ、掻出機構３３ａ、識別部３３ｂ、リジェクト選別部３３ｃ、各選別部３３ｄ、３３ｅ、３３ｆ、各一時保留部３４ａ、３４ｂ、３４ｃを経て、最終的に各収納カセット３５ａ〜３５ｃに金種別に収納される。なお、バラ硬貨投入口３１に投入されたバラ硬貨のうちリジェクト硬貨はリジェクト選別部３３ｃから返却口３６に送られる。【００５２】
上述のようなバラ紙幣およびバラ硬貨の筐体１１内への取り込みを行う際に、識別部２３によりバラ紙幣の識別および計数が行われるとともに、識別部３３ｂによりバラ硬貨の識別および計数が行われ、識別部２３、３３ｂによる貨幣の識別結果および計数結果が制御部６０に送られる。このようにして制御部６０は、筐体１１の内部に取り込まれた貨幣の金額を検出することができる。また、制御部６０は表示部６４を制御し、貨幣の各金種における入金枚数や入金金額等を表示部６４で表示させる。【００５３】
ここで、記憶部６８において、入金処理または両替処理のどちらを先に行わせるかという情報が操作者毎に記憶されている場合には、カードリーダ６６および制御部６０により得られた操作者の特定情報、および記憶部６８に記憶された情報に基づいて、入金処理または両替処理のどちらを先に行うかが決定される（図６のＳｔｅｐ３参照）。なお、カードリーダ６６により操作者が携帯するＩＤカードの読み取りを行わなかった場合や、カードリーダ６６により操作者の特定が行われたがこの操作者に対応する情報が記憶部６８に記憶されていない場合には、操作者が入金額または両替額を操作部６２により制御部６０に直接入力し、入金額が入力されたときには入金処理が最初に行われ、両替額が入力されたときには両替処理が最初に行われることとなる（図６のＳｔｅｐ３参照）。また、記憶部６８において、入金処理または両替処理のどちらを先に行わせるかという情報が操作者毎に記憶されていない場合にも、操作者が入金額または両替額を操作部６２により制御部６０に入力し、入金額が入力されたときには入金処理が最初に行われ、両替額が入力されたときときには両替処理が最初に行われることとなる（図６のＳｔｅｐ３参照）。また、記憶部６８に、操作者毎の過去の１または複数の取引の履歴が記憶されている場合には、この過去の取引の履歴が表示部６４に表示される。具体的には、各取引において入金処理または両替処理のどちらが先に行われたのかという情報が表示部６４に表示される。この場合、操作者は、過去の１または複数の取引の履歴を見ることにより、操作部６２により入金処理または両替処理のどちらを先に行うかを選択することができる。【００５４】
以下、入金処理を先に行い、その後、両替処理を行う場合と、両替処理を最初に行い、その後、入金処理を行う場合とについてそれぞれ説明する。【００５５】
まず、入金処理を先に行い、その後、両替処理を行う場合について説明する。最初に入金処理を行う際に、記憶部６８において、入金処理における１または複数の入金額に係る情報が操作者毎に記憶されている場合には、この記憶部６８に記憶された操作者毎の１または複数の入金額が表示部６４に表示される。ここで、表示部６４に複数の入金額が表示されていた場合には、操作者は１つの入金額を選択する。そして、操作者が操作部６２の確定キーを押したときに、この入金額（表示部６４に複数の入金額が表示されていた場合には選択された入金額）に係る貨幣の入金処理が自動的に行われる（図６のＳｔｅｐ４参照）。一方、記憶部６８において、入金処理における入金額に係る情報が操作者毎に記憶されていない場合には、または、特定された操作者に対応する入金額の情報が記憶部６８に記憶されていない場合には、あるいは、操作者が入金を行いたい貨幣の入金額が記憶部６８に記憶されていない場合には、操作者は操作部６２により入金額を直接制御部６０に入力することとなる。そして、操作部６２により制御部６０に入力された入金額に係る貨幣の入金処理が行われる（図６のＳｔｅｐ４参照）。【００５６】
上述のような入金処理において入金額が確定した後、または入金処理中において、制御部６０において、筐体１１の内部に取り込まれた貨幣の金額から、記憶部６８に記憶された操作者毎の入金額、または操作部６２により制御部６０に入力された入金額を引き算することにより両替額を算出する。その後、この両替額に係る貨幣が筐体１１から取り出されることとなる（図６のＳｔｅｐ５参照）。この際に、記憶部６８において、両替処理における１または複数の両替パターンに係る情報が操作者毎に記憶されている場合には、この記憶部６８に記憶された操作者毎の１または複数の両替パターンが表示部６４に表示される。ここで、表示部６４に複数の両替パターンが表示されていた場合には、操作者は１つの両替パターンを選択する。そして、操作者が操作部６２の確定キーを押したときに、表示部６４に表示された両替パターンにおける両替金種の貨幣（表示部６４に複数の両替パターンが表示されていた場合には、操作者により選択された両替パターンの両替金種の貨幣）が所定の数量分だけバラ紙幣入出金部２０、バラ硬貨出金部４０または包装硬貨出金部５０から自動的に出金される。一方、記憶部６８において、両替パターンに係る情報が操作者毎に記憶されていない場合には、または、特定された操作者に対応する両替パターンに係る情報が記憶部６８に記憶されていない場合には、あるいは、操作者が両替を行いたい貨幣の両替パターンが記憶部６８に記憶されていない場合には、操作者は操作部６２により１または複数の両替金種および各両替金種における貨幣の数量や金額に係る情報を制御部６０に直接入力することとなる。または、所定の両替パターンが予め登録されており、操作者はこの予め登録されている両替パターンを選択してもよい。そして、操作部６２により制御部６０に入力された両替金種の貨幣が前述の数量分または金額分だけバラ紙幣入出金部２０、バラ硬貨出金部４０または包装硬貨出金部５０から自動的に出金される。このようにして両替処理が終了する。【００５７】
なお、上述のように、記憶部６８において、両替処理における１または複数の両替パターンに係る情報が操作者毎に記憶されている場合には、この記憶部６８に記憶された操作者毎の１または複数の両替パターンが表示部６４に表示されるが、表示部６４に両替パターンを表示させる際に、バラ紙幣入出金部２０内、バラ硬貨出金部４０内または包装硬貨出金部５０内の紙幣や硬貨の在高を考慮して、両替可能なパターンのみを表示させ、両替不可能なパターンは表示させないようになっていてもよい。【００５８】
また、操作者が各両替金種における貨幣の金額に係る情報を制御部６０に直接入力した場合、制御部６０において、直接入力された各両替金種における貨幣の金額を貨幣の枚数に換算し、この貨幣の枚数の情報を表示部６４に表示させるようになっていてもよい。【００５９】
また、操作者が操作部６２により１または複数の両替金種および各両替金種における貨幣の数量または金額に係る情報を制御部６０に直接入力する際に、バラ紙幣入出金部２０内、バラ硬貨出金部４０内または包装硬貨出金部５０内の紙幣や硬貨の在高を考慮して、各両替金種においてこれらの出金部２０、４０、５０内にある貨幣の数量よりも多くの貨幣の数量を入力することができないようになっていてもよい。【００６０】
次に、両替処理を先に行い、その後、入金処理を行う場合について説明する。この際に、記憶部６８において、両替処理における１または複数の両替パターンに係る情報が操作者毎に記憶されている場合には、この記憶部６８に記憶された操作者毎の１または複数の両替パターンが表示部６４に表示される。ここで、表示部６４に複数の両替パターンが表示されていた場合には、操作者は１つの両替パターンを選択する。そして、操作者が操作部６２の確定キーを押したときに、表示部６４に表示された両替パターンにおける両替金種の貨幣（表示部６４に複数の両替パターンが表示されていた場合には、操作者により選択された両替パターンの両替金種の貨幣）が所定の数量分だけバラ紙幣入出金部２０、バラ硬貨出金部４０または包装硬貨出金部５０から自動的に出金される（図６のＳｔｅｐ６参照）。一方、記憶部６８において、両替パターンに係る情報が操作者毎に記憶されていない場合には、または、特定された操作者に対応する両替パターンに係る情報が記憶されていない場合には、あるいは、操作者が両替を行いたい貨幣の両替パターンが記憶部６８に記憶されていない場合には、操作者は操作部６２により１または複数の両替金種および各両替金種における貨幣の数量または金額に係る情報を制御部６０に直接入力することとなる。または、所定の両替パターンが予め登録されており、操作者はこの予め登録されている両替パターンを選択してもよい。そして、操作部６２により制御部６０に入力された両替金種の貨幣が前述の数量分または金額分だけバラ紙幣入出金部２０、バラ硬貨出金部４０または包装硬貨出金部５０から自動的に出金される（図６のＳｔｅｐ６参照）。【００６１】
上述のような両替処理における両替パターンが確定した後、または両替処理中に、制御部６０において、筐体１１の内部に取り込まれた貨幣の金額から、貨幣の出金額である両替額を引き算することにより入金額を算出する。その後、この入金額に係る貨幣の入金処理が行われることとなる。具体的には、制御部６０において前述のように算出された入金額が表示部６４に表示される。そして、操作者が操作部６２の確定キーを押したときに、この入金額に係る貨幣の入金処理が自動的に行われる（図６のＳｔｅｐ７参照）。このようにして、入金処理が終了する。なお、入金額が表示部６４に表示されたときに、入金額の全ての貨幣を入金処理させるのではなく、入金額を操作者が操作部６２により指定してこの指定された入金額の貨幣を入金処理させ、その他の貨幣を返却するようにしてもよい。【００６２】
以上のように本実施の形態の貨幣処理装置１０によれば、バラ紙幣入出金部２０および／またはバラ硬貨入金部３０により筐体１１の内部に紙幣および／または硬貨を取り込ませ、その後、筐体１１の内部に取り込まれた貨幣について、入金処理および両替処理の両方の処理を行うよう、制御部６０によりバラ紙幣入出金部２０、バラ硬貨入金部３０、バラ硬貨出金部４０および包装硬貨出金部５０の制御が行われるようになっている。このように、筐体１１の内部に紙幣や硬貨からなる貨幣を取り込ませた後、この筐体１１の内部に取り込まれた貨幣について、入金処理および両替処理の両方の処理を行うことにより、筐体１１の内部に貨幣を取り込ませる作業を１回行うだけで入金処理および両替処理の両方の処理を行わせることができるとともに処理時間の短縮を図ることができるようになる。【００６３】
また、バラ紙幣入出金部２０は、バラ紙幣入金部およびバラ紙幣出金部の両方の機能を兼ね備えており、筐体１１の外部から内部にバラ紙幣を取り込み、この取り込まれたバラ紙幣を識別して筐体１１の内部に収納するとともに、この収納された紙幣を筐体１１の外部に出すことができるようになっているので、バラ紙幣入出金部２０はバラ紙幣をリサイクル処理することができ、バラ紙幣の入金および出金を効率良く行うことができるようになる。【００６４】
また、入金額または両替額を選択的に入力するための操作部６２が設けられており、バラ紙幣入出金部２０および／またはバラ硬貨入金部３０により筐体１１の内部にバラ紙幣および／またはバラ硬貨が取り込まれるとともに操作部６２において入金額が入力された場合には、この入力された入金額に係る貨幣の入金処理を行うとともに筐体１１の内部に収納された貨幣の金額から入金額を引き算した金額の貨幣をバラ紙幣入出金部２０、バラ硬貨出金部４０、および／または包装硬貨出金部５０により筐体１１の外部に出し、一方、バラ紙幣入出金部２０および／またはバラ硬貨入金部３０により筐体１１の内部にバラ紙幣および／またはバラ硬貨が取り込まれるとともに操作部６２において両替額が入力された場合には、筐体１１の内部に収納された貨幣の金額から両替額を引き算した金額の貨幣の入金処理を行うとともに両替額の貨幣をバラ紙幣入出金部２０、バラ硬貨出金部４０、および／または包装硬貨出金部５０により筐体１１の外部に出すようになっている。このため、顧客等の操作者は、操作部６２により入金額または両替額を入力するだけで、入金処理または両替処理のうちいずれか一方を先に行わせ、その後、もう一方の処理を行わせることができるようになる。【００６５】
また、この際に、両替処理において、操作部６２により１または複数の両替金種および各両替金種における貨幣の数量や金額を入力するようになっており、制御部６０は、バラ紙幣入出金部２０、バラ硬貨出金部４０、および／または包装硬貨出金部５０により、操作部６２に入力された両替金種のバラ紙幣、バラ硬貨および／または包装硬貨を前述の数量分または金額分だけ筐体１１の外部に出すような制御を行うようになっているので、両替金種および当該両替金種における貨幣の数量や金額を操作者は容易に選択することができる。【００６６】
なお、本発明による貨幣処理装置１０は、上記の態様に限定されるものではなく、様々の変更を加えることができる。【００６７】
例えば、筐体１１の外部から内部にバラ紙幣を取り込み、この取り込まれたバラ紙幣を識別計数して筐体１１の内部に収納するとともに、この収納されたバラ紙幣を筐体１１の外部に出すことができるようなバラ紙幣入出金部２０を用いる代わりに、筐体１１の外部から内部にバラ紙幣を取り込み、この取り込まれたバラ紙幣を識別計数して筐体１１の内部に収納するバラ紙幣入金部と、バラ紙幣入金部とは別個に設けられ、筐体１１の内部に収納されたバラ紙幣を筐体１１の外部に出すバラ紙幣出金部とを用いてもよい。また、図２に示すバラ紙幣入出金部２０において、入金一時保留カセット２５の設置を省略することも可能である。【００６８】
また、本発明による貨幣処理装置１０において、バラ硬貨入金部３０や包装硬貨出金部５０は必ずしも必要ではなく、これらのバラ硬貨入金部３０や包装硬貨出金部５０のうち一方または両方の設置を省略してもよい。【００６９】
また、バラ硬貨入金部３０およびバラ硬貨出金部４０は一体型のものとなっており、筐体１１の外部から内部にバラ硬貨を取り込み、この取り込まれたバラ硬貨を識別計数して筐体１１の内部に収納するとともに、この収納されたバラ硬貨を筐体１１の外部に出すことができるようになっていてもよい。【００７０】
また、図１に示すように筐体１１の内部に記憶部６８を設ける代わりに、この記憶部６８を省略し、代わりに顧客等の操作者が携帯するＩＤカードに、この操作者についての入金処理や両替処理に関する様々な情報が記憶された記憶部が設けられていてもよい。具体的には、操作者が携帯するＩＤカードに設けられた記憶部には、入金処理または両替処理のどちらを先に行わせるかという情報や、入金処理における入金額に係る情報、あるいは両替処理における１または複数の両替金種および各両替金種における貨幣の数量に係る情報が記憶されており、ＩＤカードがカードリーダ６６により読み取られたときに、ＩＤカードに設けられた記憶部に記憶された情報がカードリーダ６６により読み取られ、この情報が制御部６０に送られるようになっていてもよい。【００７１】
また、本発明による貨幣処理装置１０において、カードリーダ６６の設置を省略することもできる。この場合、顧客等の操作者はＩＤカードを携帯する必要がなくなり、代わりに操作者は操作部６２により入金額または両替額の入力を行うこととなる。具体的には、バラ紙幣入出金部２０および／またはバラ硬貨入金部３０により筐体１１の内部にバラ紙幣および／またはバラ硬貨が取り込まれた後に操作部６２において入金額が入力された場合には、この入力された入金額に係る貨幣の入金処理を行うとともに筐体１１の内部に収納された貨幣の金額から入金額を引き算した金額の貨幣をバラ紙幣入出金部２０、バラ硬貨出金部４０、および／または包装硬貨出金部５０により筐体１１の外部に出す。一方、バラ紙幣入出金部２０および／またはバラ硬貨入金部３０により筐体１１の内部に紙幣および／または硬貨が取り込まれた後に操作部６２において両替額が入力された場合には、筐体１１の内部に収納された貨幣の金額から両替額を引き算した金額の貨幣の入金処理を行うとともに両替額の貨幣をバラ紙幣入出金部２０、バラ硬貨出金部４０、および／または包装硬貨出金部５０により筐体１１の外部に出す。このように、顧客等の操作者は、操作部６２に入金額または両替額を入力するだけで、入金処理または両替処理のうちいずれか一方を先に行わせ、その後、もう一方の処理を行わせることができる。【００７２】
また、本発明による貨幣処理装置１０において、操作者によって操作部６２により制御部６０に入力される入金額、両替額、あるいは両替金種および当該両替金種における貨幣の数量や金額等は、制御部６０に接続された記憶部６８や、ＩＤカードに設けられた記憶部に処理履歴として記憶されるようになっていてもよい。この場合、次回の処理において操作者がＩＤカードをカードリーダ６６により読み取らせたときに、表示部６４に過去の履歴が表示されるとともに、操作者はこの履歴に関する複数の処理内容から１つの処理内容を選択し、当該処理内容が制御部６０により自動的に行われることとなる。【００７３】
また、カードリーダ６６は必ずしも貨幣処理装置１０に設けられる必要はなく、カードリーダが貨幣処理装置とは別に設けられており、このカードリーダと貨幣処理装置とが有線または無線により通信接続されるようになっていてもよい。
【図１】
2010010615.tif 000003
【図２】
2010010615.tif 000004
【図３】
2010010615.tif 000005
【図４】
2010010615.tif 000006
【図５】
2010010615.tif 000007
【図６】
2010010615.tif 000008
【国際調査報告】
2010010615.tif 000009
2010010615.tif 000010
2010010615.tif 000011
2010010615.tif 000012